(57)【要約】 【課題】自動施錠時に於いて、カマが不用意に施錠方向に回転してストライクに衝突する可能性を回避すること。【解決手段】引戸の閉戸時に戸枠体側に押されて後退変位するトリガーと、該トリガーの後退力によって作動する動力伝達手段と、該動力伝達手段と連係され、かつ、施錠方向に自動的に回転可能なカマとを備える引戸用鎌錠に於いて、トリガー７の内端部に、基端部が軸支されたトリガー係止片８を係合し、閉戸する際、少なくともトリガーの先端面７ａが戸枠体側に当たる瞬間の第１段階では、トリガー係止片８の係合端部８ａが錠箱内に位置するカマ６の被係合部６ａに係合しており、トリガーが後退動中の第２段階では、トリガーと共働する前記トリガー係止片８の係合端部８ａがカマ６の被係合部６ａから離れること。【選択図】図１
2007154531.tif 000002
【特許請求の範囲】
【請求項１】
引戸の閉戸時に戸枠体側に押されて後退変位するトリガーと、該トリガーの後退力によって作動する動力伝達手段と、該動力伝達手段と連係され、かつ、施錠方向に自動的に回転可能なカマとを備える引戸用鎌錠に於いて、前記トリガー７の内端部に、基端部が軸支されたトリガー係止片８を係合し、閉戸する際、少なくともトリガーの先端面が戸枠体側に当たる瞬間の第１段階では、トリガー係止片８の係合端部が錠箱内に位置するカマ６の被係合部に係合しており、トリガーが後退動中の第２段階では、トリガーと共働する前記トリガー係止片８の係合端部がカマ６の被係合部から離れることを特徴とする引戸用鎌錠。
【請求項２】
請求項１に於いて、トリガー係止片８は、トリガー７の内端部に対して交差状態に係合していると共に、トリガーバネ１０で係合方向に付勢されていることを特徴とする引戸用鎌錠。
【請求項３】
請求項１に於いて、トリガー７は、内端部にストッパー１１を備え、該ストッパーは、第１可動支軸１２に軸支されていると共に、該第１可動支軸に巻装された第１バネ２１で所定方向に付勢され、かつ、錠箱の制御機能を有する案内部分１３に案内される係合軸１４を介してトリガーの後退動に対応してカマ作動障害片１７の可動を許容する位置へと変位することを特徴とする引戸用鎌錠。
【請求項４】
請求項３に於いて、カマ作動障害片１７は、バネで付勢された状態でトリガーの後端部に軸支されていることを特徴とする引戸用鎌錠。
【請求項５】
引戸の閉戸時に戸枠体側に押されて後退変位するトリガーと、該トリガーの後退力によって作動する動力伝達手段と、該動力伝達手段と連係され、かつ、施錠方向に自動的に回転可能なカマとを備える引戸用鎌錠に於いて、前記トリガー７の内端部に、基端部が軸支されたトリガー係止片８を係合し、閉戸する際、少なくともトリガーの先端面７ａが戸枠体側に当たる瞬間の第１段階では、トリガー係止片８の係合端部８ａが錠箱内に位置するカマ６の被係合部６ａに係合しており、また、トリガーが後退動中の第２段階では、前記係合端部８ａがカマ６の被係合部６ａから離れ、さらに、カマが完全突出した状態の第３段階では、カマ６はトリガー７の内端部に設けたカマ作動障害片１７、該カマ作動障害片の押圧力によって所定方向へ移動する可動片２０、該可動片に連動する動力伝達手段３０を介して自動施錠していることを特徴とする引戸用鎌錠。
【請求項６】
請求項５に於いて、カマ作動障害片１７は、一端部に可動片を押圧する障害部分を有し、一方、他端部にトリガーに設けられたストッパー１１と係脱する係合爪を有することを特徴とする引戸用鎌錠。
【請求項７】
請求項５に於いて、可動片２０は水平方向へスライドするラックであり、また、動力伝達手段は、ラックに噛合するセレクタ−部材３７を含むことを特徴とする引戸用鎌錠。
【発明の詳細な説明】
【技術分野】
【０００１】
本発明は、引戸を閉めるだけで、カマがストライクに対して自動的に施錠（掛合）する引戸用鎌錠に関する。
【背景技術】
【０００２】
特許文献１は、出願人が提案したものである。この特許文献１に記載の従来例は、本発明と同様の目的（閉戸時、キー又は室内側操作部材を用いることなく、カマが自動的に施錠すること）であり、その基本的構成は、「引戸の閉戸時に戸枠体側に押されて後退変位するトリガーと、該トリガーの後退力によって作動する動力伝達手段と、該動力伝達手段と連係され、かつ、施錠方向に自動的に回転可能なカマとを備える引戸用鎌錠」である。
【０００３】
特許文献１は、引戸を閉めるだけで、カマがストライクに対して自動的に施錠（掛合）するという利点があるものの、（Ａ）構成が複雑である、（Ｂ）自動施錠時に於いて、カマが不用意に施錠方向に回転してストライクに衝突する可能性があるという問題点があった。
【０００４】
特許文献２も、閉戸時にカマがストライクに対して自動的に施錠（掛合）する引戸用鎌錠に関するものであるが、該従来例の目的は、閉戸操作時における引戸のバウンド状態を防止することである。そのために、閉戸操作時の慣性力によって揺動変位する揺動部材によって一瞬だけ上記鎌体の掛止状態を保持させるストッパーを構成要件としている。しかし、特許文献２も特許文献１と同様に自動施錠時に於いて、カマが不用意に施錠方向に回転してストライクに衝突する可能性があるという問題点がある。
【特許文献１】実用新案公開平７−２６５４９
【特許文献２】特開２００２−１３３３１
【発明の開示】
【発明が解決しようとする課題】
【０００５】
本発明の第１の目的は、自動施錠時に於いて、カマが不用意に施錠方向に回転してストライクに衝突する可能性を回避することである。第２の目的は、自動施錠の状態に於いて、外部操作手段の操作力により、カマを解錠方向へ動かすことができることである。第３の目的は、従来例に比して部品点数を少なくするここである。第４の目的は、各構成部材を簡単に組み合わせることができることである。
【課題を解決するための手段】
【０００６】
本発明の引戸用鎌錠は、引戸の閉戸時に戸枠体側に押されて後退変位するトリガーと、該トリガーの後退力によって作動する動力伝達手段と、該動力伝達手段と連係され、かつ、施錠方向に自動的に回転可能なカマとを備える引戸用鎌錠に於いて、前記トリガー７の内端部に、基端部が軸支されたトリガー係止片８を係合し、閉戸する際、少なくともトリガーの先端面７ａが戸枠体側に当たる瞬間の第１段階では、トリガー係止片８の係合端部８ａが錠箱内に位置するカマ６の被係合部６ａに係合しており、トリガーが後退動中の第２段階では、トリガーと共働する前記トリガー係止片８の係合端部８ａがカマ６の被係合部６ａから離れることを特徴とする。
【０００７】
また、本発明の引戸用鎌錠は、上記構成の主要部をそのまま含み、「さらに、カマが完全突出した状態の第３段階では、カマ６はトリガー７の内端部に設けたカマ作動障害片１７、該カマ作動障害片の押圧力によって所定方向へ移動する可動片２０、該可動片に連動する動力伝達手段３０を介して自動施錠していること」を特徴とする。その他特徴事項は、従属項によって特定される。
【０００８】
ここで、「トリガー７の内端部」とは、常に錠箱内に位置している部分を意味する。
【発明の効果】
【０００９】
次に列挙するような効果を得ることができる。
（１）請求項１に記載の発明は、カマは、第１段階と第２段階を経てストライクに掛合するので、自動施錠時に於いて、カマが不用意に施錠方向に回転してストライクに衝突する可能性を回避することができる。
（２）請求項５に記載の発明は、自動施錠の状態に於いて、外部操作手段の操作力により、カマを解錠方向へ動かすことができる。
（３）従来例に比して部品点数を少ない。
（４）各構成部材を簡単に組み合わせることができる。
【発明を実施するための最良の形態】
【００１０】
以下、図１乃至図７に示す本発明を実施するための最良の形態により説明する。
【００１１】
（１）実施の環境
図１は、戸枠体Ｘに対して、引戸Ｙを矢印Ａ方向に閉める際に、引戸Ｙ側のトリガー７の先端面７ａが戸枠体Ｘのストライク１に当たり始めた状態（ここでは「第１段階」という。）を示す。この第１段階では、指状のトリガー係止片（係止片）８がＯＮの状態である。ここで「ＯＮの状態」とは、トリガー係止片８の係合端部８ａがカマ６の先端部の外周に形成した被係合部（切欠溝）６ａに係合しており、キー、サムターン等の図示しない外部操作手段の操作力により、カマ６を少なくとも完全施錠方向へ動かすことができない状態をいう。それ故に、閉戸時に於いて、不用意にカマ６が施錠方向に回転しまってストライク１の外面に衝突する事態を回避できる。
【００１２】
そこで、図１を参照にして、主な環境部材を説明する。まず、１は受け金具のストライク、２はストライク１のカマ用係入孔である。受け金具の細部的事項の説明は割愛する。
【００１３】
次に、３は引戸の戸先側に固定された錠箱、４はフロント板、５はフロント板に形成されたカマ用開口である。錠箱３には軸孔、係合軸用案内長孔、可動支軸用弧状案内部分等が適宜に形成されている。また、錠箱３内には、引戸用鎌錠Ｚが組み込まれている。
【００１４】
引戸Ｙは、周知のように、矢印Ａ方向への操作により開戸されるものであり、また、引戸Ｙは、所望する閉鎖位置で閉戸された時、本実施例では、（ａ）鎌錠Ｚのカマ６が自動施錠となり、（ｂ）自動施錠の状態に於いて、外部操作手段の操作力により、カマ６を解錠方向へ動かすことができ、（ｃ）さらに、前記閉鎖位置に於いて、外部操作手段の操作力により、カマ６を施錠方向へも動かすことができる。（ｄ）このようなタイプの引戸用鎌錠Ｚは、主に、駐輪場、ゴミ置き場、共用の管理場所等に利用されるものである。
【００１５】
（２）鎌錠Ｚの主たる構成部材
図１を参照にして、鎌錠Ｚの主たる構成部材について説明する。なお、発明の主要部を明確にするためにトリガー用ガイド板、各部材の軸孔等の細部的事項の説明は一部割愛する。
【００１６】
まず、トリガー側の部材から説明する。６は基端部が軸支されたカマ、７はフロント板４を基準にして出没可能に設けられ、かつ、トリガー係止片８の基端部を軸支する第１固定軸９に巻装されたトリガーバネ１０で常時突出方向に付勢されたトリガー、１１は一端部（前方）側がトリガーの第１可動支軸１２に軸支され、一方、他端部（後方）側が錠箱の下端部に形成された段差状案内部分（水平長孔、ガイドバー、ガイド溝などの制御部分）１３に案内される係合軸１４を有すると共に、上部側に板状のストッパー部分１５を備えるストッパー、１７はストッパー１１と連係するようにトリガー７の第２可動支軸１８に軸支されたカマ作動障害片、１９は前記段差状案内部分１３よりも上方に位置する第２可動支軸１８用の水平案内部分、２０はカマ作動障害片１７に押圧される位置に配設された可動片（例えばラック）、２１は第１可動支軸１２に巻装され、かつ、ストッパー１１をカマ作動障害片１７に対して係合する方向へと常時付勢する第１バネ、一方、２２は前記第２可動支軸１８に巻装され、かつ、カマ作動障害片１７を前記可動片２０から逃す方向へと常時付勢する第２バネである。
【００１７】
次に、キー又は室内側操作部材で回動操作される駆動側から説明する。３１は錠箱内の嵌合孔を有する受け座に回転自在に支持された駆動片、３２はこの駆動片３１の駆動力によって回転するように第２固定軸３３に軸支され、かつ、係合手段３４を介してカマ６を施・解錠方向へと回転させる伝動歯車、３５は伝動歯車３２及びセレクタ−部材との間に介在するように第３固定軸３６に軸支された仲介歯車、３７は可動片２０と前記仲介歯車３５にそれぞれ噛合するように第４固定軸３８に軸支され、かつ、位置変位可能なバネ受け可動支軸３９を有するセレクタ−部材、４０は前記バネ受け可動支軸３９を、前記第４固定軸３８を中心にして案内できるように錠箱に形成された弧状案内部分、４１は第４固定軸３８に中央部が巻装され、一端部が前記バネ受け可動支軸３９に圧接し、一方、他端部が錠箱に設けたバネ端支持ピン４２に支持されたカマ用第１駆動バネ、そして、４３はカマ６の支軸４４の付近に突設された可動支軸４５に巻装され、一端部が係合手段３４の係合ピン３４ａに圧接し、一方、他端部がカマのバネ受け部分に支持されたカマ用第２駆動バネである。
【００１８】
上記構成の鎌錠Ｚは、後述する第３段階（カマ完全突出状態）では、（ａ）錠箱３に内装された複数個のカマ用駆動バネのバネ力により自動的に完全施錠となり、（ｂ）自動施錠の状態に於いて、外部操作手段の操作力により、カマ６を解錠方向へ動かすことができ、（ｃ）さらに、前記閉鎖位置に於いて、外部操作手段の操作力により、カマ６を施錠方向へも動かすことができる。以下、本発明の目的に関連する事項を詳細に説明する。
【００１９】
（３）構成部材の詳細−錠箱
図２は錠箱のケース蓋３ａを示している。ケース蓋３ａの下部側は実線である。図２に於いて、５０はケース蓋３ａの中央部の先端面（フロント板）側に形成されたカマの支軸４４用軸孔である。ここでは、この軸孔５０を基準にして、該軸孔５０よりも下方に位置する軸孔や案内部分を説明する。
【００２０】
４０はバネ受け可動支軸３９用の弧状案内部分で、この弧状案内部分４０は第４固定軸３８用の軸孔５１の同心円上に形成されている。本実施例では、弧状案内部分４０は軸孔５１よりも上方に位置している。
【００２１】
５２はバネ端支持ピン４２用取り付け孔で、この取り付け孔５２は、前記軸孔５１よりも若干下方で、かつ、ケース蓋３ａの後端面（ケース身の後壁）側に形成されている。５３は可動片用の水平案内部分（水平長孔）で、該水平案内部分５３には、可動片２０の係合歯２０ａを有する板状部分の突出端部が係合する。水平案内部分５３は前記軸孔５１の下方に形成されている。
【００２２】
５４はトリガー７の水平案内部分（水平長孔）で、この水平案内部分５４は前記可動片２０用水平案内部分５３よりも下方で、かつ、前方位置に形成されている。
【００２３】
１９は前記水平案内部分５４と略同一水平ライン上に位置するようにケース蓋３ａの中央部に形成された水平案内部分で、この水平案内部分１９には、前述したようにカマ作動障害片１７用の第２可動支軸１８が係合する。そして、１３は水平案内部分１９の下方に形成された段差状案内部分（ストッパー制御部分）で、この段差状案内部分１３には、ストッパー１１用の係合軸１４が係合する。
【００２４】
（４）各部材−カマ６
図１を参照にして説明する。先端に鉤部を有するカマ６は、その幅広の基端部側が支軸４４に軸支されている。ここでは、支軸４４に軸支されている部分を「中央部」という。したがって、カマ６はその中央部が支軸４４を介して錠箱３に枢着されており、突出時の施錠位置と引込み時の解錠位置との間で揺動できる。
【００２５】
また、カマ６は中央部の可動支軸４５に巻装されたカマ用第２駆動バネ４３により所定方向に付勢されている。本実施例では、第２駆動バネ４３の付勢力は、閉戸時にはその途中から施錠方向へ、一方、開戸時にはその途中から解錠方向に付勢するという「ニつの機能」を有している。そのために、カマ用第２駆動バネ４３の一端部が圧接する係合手段３４の係合ピン（制御ピン）３４ａは、図１の第１段階では、カマ中央部の可動支軸４５よりもフロント板４側に位置する係合長孔３４ｂの上方縁に位置する。この時、第２駆動バネ４３の解錠方向への付勢力は、係合ピン（制御ピン）３４ａが係合長孔３４ｂの上方縁から離れているときよりも弱まっている。
【００２６】
また、図１の第１段階よりも後の第２段階（トリガー係止片８がＯＦＦの状態）に於いて、第２駆動バネ４３のバネ力は、可動片２０がトリガー７及びカマ作動障害片１７を介して矢印Ｂ方向にスライドし始めたときには、トリガー７ないし可動片２０の駆動力（駆動バネ４１のバネ力も含む）よりも弱い。
【００２７】
したがって、カマ６は、所定の条件のとき、すなわち、トリガー係止片８の係合端部８ａがカマ６の被係合部６ａから離れたときには、ストライク１の外面で押されるトリガー７ないし可動片２０の駆動力により、かつ、動力伝達手段３０（本実施例では、セレクタ−部材３７、仲介歯車３５、伝動歯車３２）及び係合手段３４を介して、自動的に施錠方向へと回転する。
【００２８】
（５）各部材−トリガー７とトリガー係止片８
図１、図３及び図４を参照にして、トリガー７及び該トリガー７の内端部に対して交差状に設けられた、かつ、該トリガー７と共働するトリガー係止片８を説明する。平面視が小船形状のトリガー７は、錠箱３の前方側の水平案内部分５４、フロント板１の開口等を介して水平方向にスライド自在に設けられている。またトリガー７は、トリガー係止片８の基端部を軸支する第１固定軸９に巻装されたトリガーバネ１０で常時突出方向に付勢されている。
【００２９】
さて、本実施例のトリガー７は、図３で示すように複数個の支持部分を有している。すなわち、６１は中央部に形成された第１支持部（係合孔）で、この係合機能を有する第１支持部６１には、図１で示すように、全体として指形状のトリガー係止片８が貫通係合している。
【００３０】
６２は左右側壁にそれぞれ突設され係合小突起で、これらの係合小突起６２は、錠箱３のトリガー用水平案内部分５４に係合する。６３は左右側壁からそれぞれ下方に延びる第２支持部で、これらの第２支持部６３には第１可動支軸１２用の軸孔が形成されている。６４は第２支持部６３よりも後端部に突出形成された第３支持部で、これらの第３支持部６４には第２可動支軸１８用の軸孔が形成されている。さらに、６５は第３支持部６４の間に形成されたカマ作動障害片１７用の切欠あるいは開口部分である。
【００３１】
したがって、トリガー７の第１支持部６１には、基端部（下端部）が第１固定軸９によって軸支されたトリガー係止片８の中央部分が係合している。
【００３２】
そして、本実施例では、閉戸時、少なくともトリガー７の先端面７ａが戸枠体Ｘ側に当たる瞬間の第１段階では、トリガー係止片８の係合端部８ａはカマ６の被係合部６ａに係合し、一方、トリガーが後退動中の第２段階では、前記係合端部８ａがカマ６の被係合部６ａから離れ、さらに、カマが完全突出した状態の第３段階では、カマ６はトリガー７の後端部に設けたカマ作動障害片１７、該カマ作動障害片の押圧力によって所定方向へ移動する可動片２０、該可動片と共働する動力伝達手段３０を介して自動施錠の状態となる。
【００３３】
それ故に、トリガー７と共働するトリガー係止片８は、閉戸時の第１段階を除き、トリガー７が所定位置まで後退した第２段階及びカマ６が完全突出した第３段階では、カマ６の被係合部６ａから離れている。
【００３４】
（６）各部材−ストッパー１１とカマ作動障害片１７
図５を参照にして、ストッパー１１とカマ作動障害片（ラック押圧片）１７を説明する。ストッパー１１はトリガー７の下方に位置するようにトリガー７の第２支持部６３に第１可動支軸１２を介して軸支されていると共に、該第１可動支軸１２よりも後方側の係合軸１４を介して錠箱３の段差状案内部分１３に案内される。そのために、板片を任意に折り曲げて形成さたれ立体形状のストッパー１１は、前方側に第１可動支軸１２用の軸孔７１ａを有する端面Ｕ字形状の第１軸部７１と、前記軸孔７１ａよりもズレタ位置（下方）に係合軸１４用の軸孔７２ａを有すると共に、上方に切欠部分とストッパー部分１５を有する第２軸部７２とから構成されている。
【００３５】
ストッパー１１は、前述したように第１可動支軸１２に巻装された第１バネ２１のバネ力により、カマ作動障害片１７の他端部（下端部）の係合爪７５に係合する方向に常時付勢されている。
【００３６】
ストッパー１１は、トリガー７の後端部に第２支持部６３及び第１可動支軸１２を介して一体的に設けられているから、閉戸時にトリガー７が後退動すると、錠箱３の段差状案内部分１３及び係合軸１４を介してトリガー７と一緒に後退動する。その際、前記係合軸１４は段差状案内部分１３に案内されることから、傾斜状の途中から第１バネ２１のバネ力に抗して若干傾倒状態に位置変位する。ストッパー１１が傾倒状態に位置変位すると、カマ作動障害片１７の係合爪７５はストッパー１１のストッパー部分１５から外れる。
【００３７】
付言すれば、ストッパー１１は、カマ作動障害片１７の指先状障害部分７６が可動片２０の傾斜状先端部からは離れないように該カマ作動障害片１７の爪状下端部７５を係止していた段階（可動片２０の前進を許容しない状態、可動片２０を押圧可能な状態）から、前記指先状障害部分７６が可動片２０の傾斜状先端部からは離れることを許容する係止解除の段階（可動片２０の前進を許容する状態）へとカマ作動障害片１７を制御する。
【００３８】
カマ作動障害片１７は、前述したように下端部の係合爪７５と可動片２０を押圧する上端部の指先状障害部分７６とを有し、かつ、トリガー７の後端部に軸支したストッパー１１と係脱する（図１、図６参照）。
【００３９】
なお、カマ作動障害片１７は、第２可動支軸１８に巻装された第２バネ２２にバネ力により所定方向（指先状障害部分７６が可動片２０の先端面から離れる方向）に付勢されているものの、開戸時に於いて、トリガー７がトリガーバネ１０のバネ力により前進すると、その前進途中で、ストッパー１７が段差状案内部分１３の傾斜状の途中から第１バネ２１のバネ力により元の位置へと位置変位し、その際、ストッパー部分１５でカマ作動障害片１７の係合爪７５を引っ掛けるので、カマ作動障害片１７は第２バネ２２のバネ力に抗して時計方向へと回転する。したがって、障害部分７６が可動片２０の先端面に対向する状態となる。また、開戸時に錠箱３内に引っ込むと、トリガー７が前進することから、トリガー係止片８が直立方向へ回転し、その結果、カマ６はトリガー係止片８に係止される（図１参照）。
【００４０】
（７）動力伝達手段３０
動力伝達手段３０を構成する各部材の細部的符号は割愛する。本実施例の動力伝達手段３０は、セレクタ−部材３７と、仲介歯車３５と、伝動歯車３２とから構成されている。
【００４１】
セレクタ−部材３７は、第４固定軸３８回りに形成され、かつ、可動片（ラック）２０の係合歯２０ａに係合するピニオンと、前記第４固定軸３８を中心とする円弧状に形成され、かつ、仲介歯車３５に噛合するギヤ部と、該ギヤ部と前記ピニオンとの間の適宜部位に設けられたバネ受け可動支軸３９とを有し、可動片（ラック）２０側の駆動力や駆動片３１側の駆動力によって所定量回転する。
【００４２】
図１の第１段階に於いて、セレクタ−部材３７は、第４固定軸３８に巻装されたカマ用第１駆動バネ４１のバネ力により、常時、施錠方向（図１では反時計方向）へ付勢されている。
【００４３】
仲介歯車３５は、セレクタ−部材３７のギヤ部と伝動歯車３２のギヤ部にそれぞれ噛合している。また、伝動歯車３２のギヤ部は伝動歯車３２と駆動片３１のギヤ部にそれぞれ噛合している。伝動歯車３２は、外周の一部に半径外方向に突出する突起部にカマ６の係合長孔３４ｂに係合する係合ピン３４ａを有する。
【００４４】
したがって、カマ６は、閉戸時の完全突出した状態の第３段階（図７）に於いて、トリガー７の後端部に設けたカマ作動障害片１７、該カマ作動障害片の押圧力によって所定方向へ移動する可動片２０、該可動片と共働する動力伝達手段３０を介して自動施錠する反面、該閉戸時（施錠時）に於いて、外部操作手段の操作力によって回転する駆動片３１及び動力伝達手段３０を介して解錠し得る。
【実施例】
【００４５】
カマ作動障害片（ラック押圧片）１７は、本実施例では、可動片２０の先端面に対して、その障害部分７６が直接押圧可能であるが、例えば可動片（ラック）２０に図示しない受け片（キャッチャー）を適宜に軸支すると共に、図示しない付勢手段で該受け片を所定方向へと付勢し、カマ作動障害片１７の一端部が該受け片に当たるように構成して、いわゆる間接的に可動片２０を押圧するようにしても良い。
【００４６】
本発明の主たる目的は、閉戸時におけるストライク１に対するカマ６の自動施錠であると共に、自動施錠時に於いて、カマ６が不用意に施錠方向に回転してストライク１に衝突しないことであるから、カマ作動障害片１７の形状や押圧態様に関しては、本発明の付随的事項である。
【産業上の利用可能性】
【００４７】
本発明は、主に錠前や建具の業界で利用される。
【図面の簡単な説明】
【００４８】
図１乃至図７は本発明の最良の実施例を示す各説明図。
【図１】本発明の一例を示す概略断面説明図（第１段階）。
【図２】錠箱のケース蓋の概略説明図。
【図３】要部（トリガー、トリガーバネなど）の概略説明図。
【図４】要部（トリガー）の概略縦断面説明図。
【図５】要部（ストッパー、カマ作動障害片など）の概略説明図。
【図６】閉戸時、トリガーが後退動した第２段階のフロー的説明図。
【図７】閉戸時における第３段階の概略説明図。
【符号の説明】
【００４９】
Ｘ…戸枠体、Ｙ…引戸、Ａ、Ｂ…矢印、１…ストライク、２…カマ用係入孔、３…錠箱、４…フロント板、５…カマ用開口、６…カマ、６ａ…被係合部（切欠溝）、７…トリガー、７ａ…先端面、８…トリガー係止片（係止片）、８ａ…係合端部、９…第１固定軸、１０…トリガーバネ、１１…ストッパー、１３…段差状案内部分（制御部分）、１２…第１可動支軸、１４…係合軸、１５…ストッパー部分、１７…カマ作動障害片（ラック押圧片）、１８…第２可動支軸、１９…水平案内部分、２０…可動片（ラック）、２０ａ…係合歯、２１…第１バネ、２２…第２バネ、３０…動力伝達手段、３１…駆動片、３２…伝動歯車、３３…第２固定軸、３４…係合手段、３４ａ…係合ピン、３４ｂ…係合長孔、３５…仲介歯車、３６…第３固定軸、３７…セレクタ−部材、３８…第４固定軸、３９…バネ受け可動支軸、４０…弧状案内部分、４１…カマ用第１駆動バネ、４２…バネ端支持ピン、４３…カマ用第２駆動バネ、４４…支軸、４５…可動支軸、６１…第１支持部（係合孔）、６２…係合小突起、６３…第２支持部、６４…第３支持部、６５…開口部分、７１…第１軸部、７２…第２軸部、７５…係合爪、７６…指先状障害部分。
【図１】
2007154531.tif 000003
【図２】
2007154531.tif 000004
【図３】
2007154531.tif 000005
【図４】
2007154531.tif 000006
【図５】
2007154531.tif 000007
【図６】
2007154531.tif 000008
【図７】
2007154531.tif 000009